(57)【要約】【課題】ハウジングと、前記ハウジングの先端に設けられる検知器と、前記検知器に電気的に接続される比較回路と、制御回路と、警報器とから構成される小便器用の距離警報器である。【解決手段】前記検知器により人体の位置を検知し、比較回路による比較を行った後信号を出力し、前記制御回路は、前記人体が第１の距離と第２の距離との間にあるという信号を受信すると、警報器から警報信号を発し、吐水機構が第１の段階のプレウェット吐水を行うように制御し、前記人体が第１の距離以内にあるという信号を受信すると、警報器の作動が止まるように制御し、人体が離れて小便器との距離が第２の距離以上になると、吐水機構が第２の段階の大量吐水を行うように制御する。【選択図】図２
0003157869.tif 000002
【実用新案登録請求の範囲】
【請求項１】
ハウジングと、
前記ハウジングの先端に設けられ、人体の位置を検知する検知器と、
前記検知器に電気的に接続され、比較して前記人体が小便器から第１の距離または第２の距離にあるという信号を出力する比較回路と、
前記比較回路に電気的に接続されることで、前記人体が第１の距離と第２の距離との間にあるという信号を受信すると、警報器から警報信号を発するとともに、吐水機構が第１の段階のプレウェット吐水を行うように制御し、前記人体が第１の距離以内にあるという信号を受信すると、警報器の作動が止まるように制御し、人体が離れて小便器との距離が第２の距離以上になると、吐水機構が第２の段階の大量吐水を行うようにプロセッサで制御する制御回路と、
から構成される小便器用の距離警報器。
【請求項２】
前記比較回路は、前記検知器に電気的に接続され、前記人体が第１の距離と第２の距離との間にあるかを比較する第１の比較器と、前記検知器に電気的に接続され、前記人体が第１の距離以内にあるかを比較する第２の比較器とを備える請求項１に記載の小便器用の距離警報器。
【請求項３】
前記比較回路及び前記制御回路はプロセッサに予め設けられたファームウェアであり、前記検知器と前記プロセッサとの間に、アナログ信号をデジタル信号に変換するコンバータが電気的に接続される請求項１に記載の小便器用の距離警報器。
【請求項４】
前記プロセッサには、第１の距離及び第２の距離の値を入力するための入力手段が電気的に接続される請求項３に記載の小便器用の距離警報器。
【請求項５】
前記プロセッサには、水晶発振器が電気的に接続される請求項４に記載の小便器用の距離警報器。
【請求項６】
さらに、前記検知器に電気的に接続され、前記検知器の信号を増幅させる増幅器を少なくとも備える請求項２又は３に記載の小便器用の距離警報器。
【考案の詳細な説明】
【技術分野】
【０００１】
本考案は警報器に関し、特に、ユーザに対して、小便する時に小便器に近づいて尿液をすべて便鉢内に投入するように注意するために、警報信号を発することができる小便器用の距離警報器に関する。
【背景技術】
【０００２】
一般的な家庭においては、人々の即時排泄のために、主に室内用便器が利用されている。これに対し、学校、会社、売り場などのたくさんの人が一緒に利用可能な便所空間においては、人々のそれぞれの需要に応じるために、室内用便器及び小便器をともに設けていることが一般的である。
【０００３】
しかし、人によって公衆衛生習慣が異なっているので、ユーザが小便器からまだ離れている所でうっかりして小便し、尿液がすべて便鉢内に投入されずにあちこち飛び散ってしまうことがよく見られる。それで、便所空間の地面がじめじめして汚染されるだけでなく、環境衛生に影響を与え、掃除人の労働負荷を増加させることになる。
【０００４】
これを鑑みて、上述した問題点を改善し、小便器用の距離警報器が、小便器に近づいて尿液をすべて小便器に投入するようにユーザを適時に注意し、環境衛生を維持し、掃除人の負荷を低減させることができるようになるために、本考案者は長年の経験に基づき鋭意に研究して改進して、本考案の完成に至った。
【考案の概要】
【考案が解決しようとする課題】
【０００５】
本考案の主な目的は、ユーザが小便器に近いが尿液を便鉢に投入できない距離にある場合に警報信号を発する構造により、ユーザが小便する時、尿液があちこち飛び散ったり流れたりしないようにすることができ、環境衛生を維持し、掃除人の労働負荷を低減させることができる小便器用の距離警報器を提供することにある。
【０００６】
本考案の次の目的は、ユーザが小便器に近いが尿液を便鉢に投入できない距離にあり、且つこの位置において所定の時間に留まると、直ちに警報信号を発する構造により、警報信号及び吐水機構の作業が制御されるように人体の検知の正確性を確保することができる小便器用の距離警報器を提供することにある。
【課題を解決するための手段】
【０００７】
上述した考案の目的を達成するために、本考案に係る小便器用の距離警報器は、ハウジングと、前記ハウジングの先端に設けられ、人体の位置を検知する検知器と、前記検知器に電気的に接続され、比較して前記人体が小便器から第１の距離又は第２の距離にあるという信号を出力する比較回路と、前記比較回路に電気的に接続される制御回路と、警報器とから構成されるものである。
【０００８】
これにより、前記制御回路は、前記人体が第１の距離と第２の距離との間にあるという信号を受信すると、警報器から警報信号を発し、吐水機構が第１の段階のプレウェット吐水を行うように制御し、人体が第１の距離以内にあるという信号を受信すると、警報器の作動が止まるように制御し、人体が離れて小便器との距離が第２の距離以上になると、吐水機構が第２の段階の大量吐水を行うように制御する。
【０００９】
実施する際に、前記比較回路はアナログ回路であり、それぞれ前記検知器に電気的に接続され、前記人体が第１の距離と第２の距離との間、又は、第１の距離以内にあるという信号を受信する第１の比較器及び第２の比較器を備える。
【００１０】
実施する際に、前記比較回路及び制御回路はプロセッサに予め設けられたファームウェアであり、プログラムに従って、プロセッサで比較して人体位置の情報を取得し、警報器及び吐水機構の作動を制御するものである。また、前記検知器とプロセッサとの間に、アナログ信号をデジタル信号に変換してプロセッサへ入力するコンバータが電気的に接続される。
【００１１】
本考案がさらに深く理解されるように、以下詳しく説明する。
【図面の簡単な説明】
【００１２】
【図１】本考案にかかる小便器用の距離警報器の第１の実施形態の外観を模式的に示す斜視図である。
【図２】本考案にかかる小便器用の距離警報器の第１の実施形態の回路を模式的に示す図である。
【図３】本考案にかかる小便器用の距離警報器の第１の実施形態の人体位置を模式的に示す図である。
【図４】本考案にかかる小便器用の距離警報器の第２の実施形態の回路を模式的に示す図である。
【考案を実施するための形態】
【００１３】
図１及び図２には、ハウジング２と、検知器３と、比較回路４と、制御回路５とからなる本考案にかかる小便器用の距離警報器１の第１の実施形態を示している。
【００１４】
前記ハウジング２は、先端が大体斜めの矩形状の筐体であるが、必要に応じて選択されるその他の立体形状の筐体であってもよい。前記ハウジング２の内部に収容空間が形成され、前記ハウジング２の後端が壁面に連結される。実施する際に、前記ハウジング２は、壁内に直接に埋め込まれ、又は、小便器の先端上方に埋め込まれてもよい。
【００１５】
前記検知器３は光電センサーであり、ハウジング２の先端に設けられ、人体の位置を検知するものであり、また、環境の要求に応じて、同様に人体位置を検知する機能を有する人体（焦電）センサー、超音波センサーやマイクロ波センサーを採用してもよい。
【００１６】
前記比較回路４は、それぞれ検知器３に電気的に接続され、比較して前記人体９が小便器９１から第１の距離Ｈ１又は第２の距離Ｈ２にある（図３参照）という信号を出力する第１の比較器４１及び第２の比較器４２を備える。実施する際に、検知器３による信号が強度不足になると、後段階で使用するために検知器３の出力信号の１級、２級の信号増幅が行われるように、前記検知器３と比較回路４との間に２つの直列接続される増幅器６が電気的に接続される。実施する際に、前記増幅器６は必要に応じて１つ設けられてもよい。さらに、前記第１、第２の比較器（４１、４２）には既に比較電圧値を予め設定していることにより、増幅器６が増幅された電圧を入力すると、第１の比較器４１による比較により前記人体９が第１の距離Ｈ１と第２の距離Ｈ２との間にあるか、又は、第２の比較器４２による比較により前記人体９が第１の距離Ｈ１以内にあるかが分かる。
【００１７】
また、前記制御回路５は、比較回路４に電気的に接続されており、電気的に接続される第１の時間遅延回路５１と、第２の時間遅延回路５２と、第３の時間遅延回路５３と、第１のＡＮＤゲート５４と、第２のＡＮＤゲート５５と、インバータ５６とを備える。
【００１８】
これにより、第１の比較器４１による比較により前記人体９が第１の距離Ｈ１と第２の距離Ｈ２との間にあることが分かると、第１の比較器４１の出力が１、第２の比較器４２の出力が０となる。この場合、第１の時間遅延回路５１に設定された時間において、第１のＡＮＤゲート５４の２つの入力端が同時に１の信号を入力すると、第１のＡＮＤゲート５４の出力端が１となる一方、第２の比較器４２の出力が０であるため、インバータ５６により１に変換された後、第２のＡＮＤゲート５５の２つの入力端が同時に１の信号を入力することで、警報器７から警報信号を発するように制御し、また、吐水機構７１が第２の時間遅延回路５２に設定された時間において第１の段階のプレウェット吐水を行うように制御する。
【００１９】
第２の比較器４２による比較により前記人体９が第１の距離Ｈ１以内にあることが分かると、第１の比較器４１の出力が０、第２の比較器４２の出力が１となる。この場合、警報器７及びプレウェット吐水の動作が共に止まる。また、人体９が離れて小便器９１との距離が第２の距離Ｈ２以上になると、吐水機構７１は第３の時間遅延回路５３に設定された時間において第２の段階の大量吐水を行う。
【００２０】
図４には、本考案にかかる小便器用の距離警報器１の第２の実施形態を示しており、この実施形態は、第１の実施形態におけるアナログ回路の代わりに、デジタル回路を採用する点が第１の実施形態と異なっている。ここで、前記比較回路４及び制御回路５はプロセッサ８に予め設けられたファームウェアであり、検知器３とプロセッサ８との間にコンバータ８１が電気的に接続されることで、検知器３によるアナログ信号をデジタル信号に変換する。ここで、入力手段８２であるキーボードにより第１の距離Ｈ１及び第２の距離Ｈ２の値がプロセッサ８に入力され、プロセッサ８が時間をカウントするために水晶発振器８３により周波数が供給される場合に、ファームウェアのプログラムの実行により、人体９が第１の距離Ｈ１と第２の距離Ｈ２との間にあると、警報器７から警報信号を発するように制御するとともに、吐水機構７１が第１の段階のプレウェット吐水を行うように制御し、人体９が第１の距離Ｈ１にあると、警報器７の作動が止まるように制御し、また、人体９が離れると、吐水機構７１が第２の段階の大量吐水を行うように制御する。
【００２１】
したがって、本考案は下記のような利点を有する。
【００２２】
１、本考案は、ユーザが所定の距離において小便することを確保することができるので、尿液があちこち飛び散ったり流れたりすることを回避し、環境衛生を維持し、掃除人の負荷を低減させることができる。
【００２３】
２、本考案は、ユーザが確かに小便しようとする場合のみ、警報信号及び吐水機構の作業を制御するので、検知の正確性を確保できる。
【００２４】
総じて言えば、以上記載したように、本考案は、小便器に近づいて尿液をすべて小便器に投入するようにユーザを適時に注意し、環境衛生を維持し、掃除人の負荷を低減させることができる小便器用の距離警報器を提供するものであり、所望の創作の目的を確実に達成することができ、産業上の利用価値が極めて大きいので、法に基づき実用新案登録出願を提出する。
【符号の説明】
【００２５】
１    小便器用の距離警報器
２    ハウジング
３    検知器
４    比較回路
４１  第１の比較器
４２  第２の比較器
Ｈ１  第１の距離
Ｈ２  第２の距離
５    制御回路
５１  第１の時間遅延回路
５２  第２の時間遅延回路
５３  第３の時間遅延回路
５４  第１のＡＮＤゲート
５５  第２のＡＮＤゲート
５６  インバータ
６    増幅器
７    警報器
７１  吐水機構
８    プロセッサ
８１  コンバータ
８２  入力手段
８３  水晶発振器
９    人体
９１  小便器
【図１】
0003157869.tif 000003
【図２】
0003157869.tif 000004
【図３】
0003157869.tif 000005
【図４】
0003157869.tif 000006